(57)【要約】【課題】紙媒体に記録された情報の一部を強調できる情報処理装置及びプログラムを提供する。【解決手段】各頁に頁を表す情報を送信する無線タグを付した冊子媒体を支持する面を有し、複数の無線タグからの情報を個別に読み取り、当該無線タグから得られる情報と、紙媒体上の領域を特定する少なくとも一つの領域情報とを関連づけて記憶する記録装置と通信する。面に支持された冊子媒体の見開き両側の紙媒体に付された無線タグからそれぞれ読み取った頁の情報に基づき、見開き頁を特定する情報を出力し、当該検知手段が出力する見開き頁を特定する情報に基づいて、通信手段を介して紙媒体上の領域を特定する少なくとも一つの領域情報を取得して、当該領域情報が表す領域を選択的に照明する。【選択図】図１
2009258964.tif 000002
【特許請求の範囲】
【請求項１】
紙媒体を冊子状に綴じ、前記紙媒体の各々に、頁を表す情報を送信する無線タグを付した冊子媒体を支持する面を有し、複数の無線タグからの情報を個別に読み取り可能な検知手段と、
前記無線タグから得られる情報と、紙媒体上の領域を特定する少なくとも一つの領域情報とを関連づけて記憶する記録装置と通信する通信手段と、
前記タグ付き紙媒体の予め定められた複数の領域のいずれかを選択的に照明する選択照明手段と、
を有し、
前記検知手段が、前記面に支持された冊子媒体の見開き両側の紙媒体に付された無線タグからそれぞれ読み取った頁の情報に基づき、見開き頁を特定する情報を出力し、
前記選択照明手段が、当該検知手段が出力する見開き頁を特定する情報に基づいて、通信手段を介して紙媒体上の領域を特定する少なくとも一つの領域情報を取得して、当該領域情報が表す領域を選択的に照明することを特徴とする情報処理装置。
【請求項２】
前記紙媒体には、複数の予め定められた箇所にそれぞれ互いに異なる情報を送信する無線タグが付され、
前記検知手段は、前記面に載せられた冊子媒体に含まれる紙媒体のうち、前記特定された見開き頁にある紙媒体に付された前記複数の無線タグの場所を検知し、
前記検知手段が検知した見開き頁の無線タグの場所に基づいて、見開き頁の紙媒体の傾き及び位置に関する補正情報を生成する補正情報生成手段をさらに有し、
前記選択照明手段は、前記取得した領域情報が表す領域の場所及び傾きを、前記補正情報に基づいて補正し、当該補正結果の表す領域を選択的に照明することを特徴とする請求項１記載の情報処理装置。
【請求項３】
コンピュータを、
紙媒体を冊子状に綴じ、前記紙媒体の各々に、頁を表す情報を送信する無線タグを付した冊子媒体を支持する面を有し、複数の無線タグからの情報を個別に読み取り可能な検知手段と、
前記無線タグから得られる情報と、紙媒体上の領域を特定する少なくとも一つの領域情報とを関連づけて記憶する記録装置と通信する通信手段と、
前記タグ付き紙媒体の予め定められた複数の領域のいずれかを選択的に照明する選択照明手段と、
として機能させ、
前記検知手段として、前記面に支持された冊子媒体の見開き両側の紙媒体に付された無線タグからそれぞれ読み取った頁の情報に基づき、見開き頁を特定する情報を出力させ、
前記選択照明手段として、当該検知手段が出力する見開き頁を特定する情報に基づいて、通信手段を介して紙媒体上の領域を特定する少なくとも一つの領域情報を取得させて、当該領域情報が表す領域を選択的に照明させることを特徴とするプログラム。
【発明の詳細な説明】
【技術分野】
【０００１】
本発明は、情報処理装置及びプログラムに関する。
【背景技術】
【０００２】
印刷物を電子的に読み取り、その印刷物の電子データを比較元画像として入力し、比較元画像に含まれるページ画像を含む処理対象領域の特徴量を抽出する。抽出した特徴量を用いて、前記比較元画像に対応する比較先画像を記憶媒体から検索する。そして、検索結果である画像に対して処理を行う技術が特許文献１に開示されている。
【特許文献１】特開２００５−４７２４号公報
【発明の開示】
【発明が解決しようとする課題】
【０００３】
紙媒体に記録された情報の一部を強調できる情報処理装置及びプログラムを提供する。
【課題を解決するための手段】
【０００４】
請求項１記載の発明は、情報処理装置であって、紙媒体を冊子状に綴じ、前記紙媒体の各々に、頁を表す情報を送信する無線タグを付した冊子媒体を支持する面を有し、複数の無線タグからの情報を個別に読み取り可能な検知手段と、前記無線タグから得られる情報と、紙媒体上の領域を特定する少なくとも一つの領域情報とを関連づけて記憶する記録装置と通信する通信手段と、前記タグ付き紙媒体の予め定められた複数の領域のいずれかを選択的に照明する選択照明手段と、を有し、前記検知手段が、前記面に支持された冊子媒体の見開き両側の紙媒体に付された無線タグからそれぞれ読み取った頁の情報に基づき、見開き頁を特定する情報を出力し、前記選択照明手段が、当該検知手段が出力する見開き頁を特定する情報に基づいて、通信手段を介して紙媒体上の領域を特定する少なくとも一つの領域情報を取得して、当該領域情報が表す領域を選択的に照明することとしたものである。
【０００５】
請求項２記載の発明は、請求項１記載の情報処理装置であって、前記紙媒体には、複数の予め定められた箇所にそれぞれ互いに異なる情報を送信する無線タグが付され、前記検知手段は、前記面に載せられた冊子媒体に含まれる紙媒体のうち、前記特定された見開き頁にある紙媒体に付された前記複数の無線タグの場所を検知し、前記検知手段が検知した見開き頁の無線タグの場所に基づいて、見開き頁の紙媒体の傾き及び位置に関する補正情報を生成する補正情報生成手段をさらに有し、前記選択照明手段は、前記取得した領域情報が表す領域の場所及び傾きを、前記補正情報に基づいて補正し、当該補正結果の表す領域を選択的に照明することとしたものである。
【０００６】
請求項３記載の発明は、プログラムであって、コンピュータを、紙媒体を冊子状に綴じ、前記紙媒体の各々に、頁を表す情報を送信する無線タグを付した冊子媒体を支持する面を有し、複数の無線タグからの情報を個別に読み取り可能な検知手段と、前記無線タグから得られる情報と、紙媒体上の領域を特定する少なくとも一つの領域情報とを関連づけて記憶する記録装置と通信する通信手段と、前記タグ付き紙媒体の予め定められた複数の領域のいずれかを選択的に照明する選択照明手段と、として機能させ、前記検知手段として、前記面に支持された冊子媒体の見開き両側の紙媒体に付された無線タグからそれぞれ読み取った頁の情報に基づき、見開き頁を特定する情報を出力させ、前記選択照明手段として、当該検知手段が出力する見開き頁を特定する情報に基づいて、通信手段を介して紙媒体上の領域を特定する少なくとも一つの領域情報を取得させて、当該領域情報が表す領域を選択的に照明させることとしたものである。
【発明の効果】
【０００７】
請求項１，３記載の発明によると、紙媒体に記録された情報の一部を強調できる。また、請求項２記載の発明によると、紙媒体が傾いて置かれたときも、強調するべき範囲を補正して強調できる。
【発明を実施するための最良の形態】
【０００８】
本発明の実施の形態について図面を参照しながら説明する。本発明の実施の形態に係る情報処理装置１は、図１に例示するように、ネットワーク等の通信回線を介して記録装置２に接続されている。
【０００９】
ここで情報処理装置１は、制御部１１と、記憶部１２と、操作部１３と、表示部１４と、媒体検知部１５と、通信部１６とを有する。制御部１１は、ＣＰＵ（Central Processing Unit）等のプログラム制御デバイスであり、記憶部１２に格納されたプログラムに従って動作している。この情報処理装置１は、図２（ａ）にその外観を例示し、図２（ｂ）にその使用態様を例示するように、紙媒体Ｐを載せて用いる。ここで紙媒体は１枚だけのものであってもよいし、後に説明するように冊子状に綴じられた複数の紙媒体Ｐであっても構わない。
【００１０】
情報処理装置１は、紙媒体Ｐの全体を支持可能なサイズの面Ｓを有している。例えば紙媒体Ｐが冊子状に綴じられている場合、面Ｓは、当該冊子を開いたときに見開きの両頁分（つまり紙媒体Ｐを二枚並べたサイズ）と略同等、ないしそれよりも大きいサイズとなっている。また本実施の形態で、この面Ｓは、操作部１３として機能している。この操作部１３は、例えば表示部１４に重ね合わせられた透明電極であり、少なくとも一枚の紙媒体Ｐを介して利用者の押圧操作（最上の紙媒体Ｐへの書き込みなど）が行われると、当該書き込みの位置を検知する。なお、操作部１３は、押圧操作を検出する以外にも、電磁誘導パネルを用いてもよい。この場合、利用者が書き込み操作に使用するペンは電磁ペンとなる。
【００１１】
さらに本実施の形態では、表示部１４である表示デバイスの各画素に対応する各素子に、操作部１３となる光センサを配してもよい。このときには、ペン先近傍に発光素子を配したペンなどを用いて利用者に面Ｓに載せた紙媒体Ｐのうち、最上の紙媒体Ｐへ文字などの記入を行わせ、操作部１３が紙媒体Ｐを介して透過した当該ペン先近傍に配した発光素子の光を検出する（そのために発光素子の光は変調されていてもよい）こととしてもよい。すなわち操作部１３は、検出した光の位置により利用者のペンの位置を検出することになる。
【００１２】
表示部１４は、例えば図３に破線で例示するように、少なくとも一枚の紙媒体である紙媒体Ｐを仮想的に複数の領域（照明領域）に区切ったとき、各照明領域を単位として、紙媒体Ｐを下部から照明可能な程度の解像度を有する。この照明領域の数ｎは、例えばｎ＝３０程度（３×１０個の領域に区切った場合）でもよい。つまり表示部１４は、これら各照明領域ごとに発光素子（ＬＥＤ（Light Emission Diode）等）を配したものであってもよいし、また、表示部１４は、一般的な液晶表示デバイスや有機ＥＬ（Electro-Luminescence）デバイスなどであってもよい。照明領域の数よりも高解像度の画素を有している場合、画素の点灯・消灯を制御して、対応する照明領域の照明を行うこととすればよい。この場合も、照明は、照明領域を単位として行えばよい。
【００１３】
媒体検知部１５は、面Ｓに支持された紙媒体Ｐを識別する識別情報を取得する。この媒体検知部１５の例については後に述べる。
【００１４】
制御部１１は、ＣＰＵ（Central Processing Unit）等のプログラム制御デバイスであり、記憶部１２に格納されているプログラムに従って動作する。この制御部１１は、面Ｓに載せられ、支持された紙媒体Ｐのうち、最上の紙媒体Ｐを識別する識別情報を、媒体検知部１５から取得する。
【００１５】
また制御部１１は、面Ｓに置かれた最上の紙媒体Ｐの面Ｓに対する相対的な位置（想定されている位置からのずれ、回転）を検出する処理や、最上の紙媒体Ｐへの書き込みが行われた時刻と領域とを特定する情報の生成・記録指示、記録装置２において記録されている情報に基づく、紙媒体Ｐ上の領域を照明する処理などを実行する。これらの制御部１１の処理の内容については、後に述べる。
【００１６】
記憶部１２は、ＲＡＭ（Random Access Memory）等のメモリ素子を備える。この記憶部１２には制御部１１によって実行されるプログラムが格納される。このプログラムは、例えばＤＶＤ−ＲＯＭなどのコンピュータ可読な記録媒体から読み取られて複写されたものであってもよい。さらにこの記憶部１２は、制御部１１のワークメモリとしても動作する。
【００１７】
記憶部１２にはまた、表示部１４が個別に照明可能な各領域を画定する情報を記憶している。この情報は、例えば各領域の識別子と、各領域の頂点座標（領域が矩形の領域である場合、領域の左上座標と右下座標）とを関連づけたものでよい。
【００１８】
通信部１６は、例えば無線ＬＡＮ（Local Area Network）インタフェースであり、ネットワーク等の通信回線を介し、制御部１１からの指示に従って記録装置２との間で情報の送受を行う。
【００１９】
記録装置２は、例えばデータベースサーバであり、情報処理装置１から受信される指示に従って情報を保持する。本実施の形態の例では、記録装置２と情報処理装置１とは別体の装置として例示しているが、これらは一体であっても構わない。
【００２０】
［媒体検知部の例］
ここで媒体検知部１５の例について述べる。媒体検知部１５は、紙媒体Ｐ側のマークを利用者にポイントさせ、又はなぞらせることにより、面Ｓに支持されている紙媒体Ｐを特定する識別情報を取得する。
【００２１】
例えば紙媒体Ｐに予め固有の識別情報を記録したマークが付されている場合、利用者が最上の紙媒体Ｐのマークをペンなどでポイントする、またはなぞることによって最上の紙媒体Ｐの識別情報を生成する。この場合、マークの位置またはマークの形状を紙媒体Ｐごとに異ならせておく。そして利用者がマークの位置をポイントし、またはマークの形状をなぞることによって生成されるペンの移動情報の特徴を、操作部１３（例えば面Ｓ内に配された押圧検出パネルまたは電磁ペンの位置を検出する電磁ペン対応パネル）で取得して紙媒体Ｐの識別情報とする。
【００２２】
さらに、紙媒体Ｐに予め固有の識別情報を記録したマークが付されていない場合、最初に利用者に指示してペンなどで紙媒体Ｐに対して、紙媒体Ｐごとに固有のマーク（例えば固有の数字を表すマークであってもよい）を書き込ませ、当該書き込まれたマークから識別情報を生成してもよい。それ以後は、紙媒体Ｐを識別する際に当該書き込まれたマークをペンなどでポイントするか、なぞることで識別情報を再度生成しても良い。この場合、識別情報の記録開始を操作部１３から指示した後、ペンなどで記録することにより識別情報を記録し、識別情報の取得開始を操作部１３で指示した後、ペンなどでなぞることにより識別情報を取得開始してもよい。
【００２３】
また、紙媒体Ｐの特定の領域を識別情報領域として定めることにより、その領域をペンなどでポイントする、またはなぞる操作が行われることで識別情報の記録や取得が行われるようにしてもよい。
【００２４】
［紙媒体の位置ずれの検知］
次に、制御部１１による紙媒体Ｐと面Ｓとの相対的位置のずれ検知の処理について述べる。この処理では、
【００２５】
（１）最上にある紙媒体に形成されたマークを利用者にポイントさせ、又はなぞらせて、当該操作により位置ずれを検知する
（２）最上にある紙媒体に形成された欄に利用者に文字列などを記入させ、当該記入の操作により位置ずれを検知する
（３）無線タグを用いる
のいずれかの処理を行えばよい。以下、各処理について説明する。
【００２６】
（１）マークをポイントまたはなぞらせる例
ここで紙媒体Ｐ側に形成するマークは、例えば図４（ａ）に示すように、紙媒体Ｐの辺に平行にならない線分上にある予め定められた複数の点（例えばＭ１，Ｍ２）に形成したＸ字状（または十字など中心点のわかる形状）のマークでよい。これらのマークは、例えば紙媒体Ｐの左下の頂点を原点として、短辺の方向をＸ軸、長辺の方向をＹ軸として（M1x,M1y），（M2x,M2y）の座標を中心点として表すマークとして予め定められているものとする。
【００２７】
制御部１１は、利用者が最上の紙媒体Ｐにおいて、これらの予め定められた複数の位置で、その中心をペンなどでポイントする（記入を行う）。すると操作部１３が、その記入操作が行われた位置（面Ｓ上のＭ１，Ｍ２に対応する各座標μ１，μ２）を検出する。そして当該操作部１３が検出した座標により、制御部１１が最上の紙媒体Ｐの面Ｓに対する相対位置を検知する。すなわち、制御部１１は、最上の紙媒体Ｐ上の点（ｘ，ｙ）と、面Ｓ上の点（ξ，η）とを関連づけるパラメータを生成する。具体的に、最上の紙媒体Ｐと面Ｓとの位置ずれは、回転と平行移動との組み合わせであるものとすれば、座標Ｍ１（M1x,M1y），Ｍ２（M2x,M2y），μ１（μ1ξ,μ1η），μ２（μ2ξ,μ2η）と、回転角度θ、平行移動量（α，β）とを用いて、
【００２８】
【数１】
2009258964.tif 000003
【００２９】
の２式をともに満足するθ，α，βを求めることで、最上の紙媒体Ｐ上の点（ｘ，ｙ）と面Ｓ上の点（ξ，η）とを関連づける変換式、
【００３０】
【数２】
2009258964.tif 000004
を得る。
【００３１】
また制御部１１は、この変換式（便宜的に第１変換式と呼ぶ）を用いて、面Ｓ上の点（ξ，η）を最上の紙媒体Ｐ上の点（ｘ，ｙ）に変換する第２変換式を得ておく。
【００３２】
制御部１１は、この変換式を得た後、利用者が書き込みを行って、操作部１３を押圧すると、操作部１３の押圧位置から第２変換式を用いて、最上の紙媒体Ｐ上のどの領域内に書き込みをしているかを検知する。
【００３３】
ここでは図５に示すように、最上の紙媒体Ｐ上に予め仮想的な領域を設定しておくものとする。各領域Ｒ１，Ｒ２…は、ここでは矩形であるものとし、領域Ｒiの左上座標は、ＲiL(ＲiLx，ＲiLy）とし、右下座標はＲiR（ＲiRx，ＲiRy）であるものとする。制御部１１は、操作部１３において押圧が検出されると、次に押圧が検出されずに予め定めた時間が経過するまで（利用者が押圧操作を中断するまで）の間に検出した押圧位置（ξ，η）の最小値（ξmin，ηmin）、最大値（ξmax，ηmax）を記録しておく。そしてこれら最小値、最大値を第２変換式を用いて、紙媒体Ｐ上の点ＬＴ（ｘmin，ｙmin），ＲＢ（ｘmax，ｙmax）にそれぞれ変換する。そして、このＬＴ，ＲＢの座標を含む領域、すなわち
【００３４】
ＲiL＜ＬＴ≦ＲiR（またはＲiL≦ＬＴ＜ＲiRでもよい）
ＲjL＜ＲＢ≦ＲjR（またはＲjL≦ＲＢ＜ＲjRでもよい）
【００３５】
となるｉ，ｊを見いだす。これにより制御部１１は、利用者が書き込みをした範囲の左上端を含む領域Ｒｉと、右下端を含む領域Ｒｊとを見いだす。制御部１１は、また、操作部１３において押圧が検出されていた時刻（押圧検出の開始時刻と、最後に押圧検出した終了時刻）とを図示しない時計部から読み出して記憶しておき、これら開始時刻及び終了時刻を含む時刻情報と、上記見いだした領域Ｒｉと領域Ｒｊとを特定する情報（領域情報）と、紙媒体Ｐの識別情報とを関連づけて記憶するよう、記録装置２に対して指示を送信する。
【００３６】
また、ここでは複数の互いに異なる位置で行われた記入内容に基づいて紙媒体Ｐと面Ｓとの相対的位置を検知する例としたが、例えば図４（ｂ）に示すように、最上の紙媒体Ｐの予め定められた位置Ｍにおいて、利用者に異方性のある図形などを記入させ、その記入内容に基づいて、最上の紙媒体Ｐと面Ｓとの相対位置を検知してもよい。
【００３７】
ここで異方性のある図形とは、少なくとも回転・平行移動に対して非対称であるような図形である。一例として図４（ｂ）ではＶ字状の例を示している。利用者がこの図形をなぞると、操作部１３からの入力により、制御部１１はＶ字を構成する線分の面Ｓに対する向き及び位置等を検出する。そしてその検出結果によって最上の紙媒体Ｐの面Ｓに対する回転角度と平行移動位置とを演算によって求める。
【００３８】
この場合も制御部１１は、第１、第２の変換式を得ることとなり、制御部１１は、これらの変換式を用いて利用者が書き込みをした範囲の左上端を含む領域Ｒｉと、右下端を含む領域Ｒｊとを見いだす。そして、開始時刻及び終了時刻を含む時刻情報と、上記見いだした領域Ｒｉと領域Ｒｊとを特定する情報（領域情報）と、最上の紙媒体Ｐの識別情報とを関連づけて記憶するよう、記録装置２に対して指示を送信する。
【００３９】
（２）利用者に文字列などを記入させ、当該記入の操作により位置ずれを検知する例
また本実施の形態において、紙媒体Ｐには、図６に示すように予め定められた領域に、利用者に記入を行わせる欄Ｗを設けておいてもよい。そして制御部１１が、最上の紙媒体Ｐにおいて、当該領域内に対して利用者がした記入の内容に基づき、最上の紙媒体Ｐと面Ｓとの相対位置を検知してもよい。
【００４０】
すなわちこの例では制御部１１は、利用者が最上の紙媒体Ｐの、この欄Ｗのうちで記入した文字等に外接する矩形を画定する（図７）。そしてこの外接矩形の各辺が面Ｓの軸に対してどれだけ傾いているかによって回転を検出する。また、外接矩形の重心など外接矩形から求められる、外接矩形内外の点に基づいて平行移動量を推定する。例えば外接矩形の重心が欄Ｗの重心に一致すると仮定して、欄Ｗの重心を外接矩形の重心であると推定し、欄Ｗの重心（事前に定められている欄Ｗの位置から求めることができる）と、それに対応する面Ｓ上の座標とにより、制御部１１は第１、第２の変換式を得ればよい。
【００４１】
以下、先の例と同様に、制御部１１は、これらの変換式を用いて利用者が書き込みをした範囲の左上端を含む領域Ｒｉと、右下端を含む領域Ｒｊとを見いだす。そして、開始時刻及び終了時刻を含む時刻情報と、上記見いだした領域Ｒｉと領域Ｒｊとを特定する情報（領域情報）と、紙媒体Ｐの識別情報とを関連づけて記憶するよう、記録装置２に対して指示を送信する。
【００４２】
さらに、このように利用者に文字列等を記入させる場合、紙媒体ごとに異なる文字列等を記入させることとしてもよい。この場合、各紙媒体Ｐの予め定めた位置に、記入するべき文字列等の画像を予め形成しておく。そして利用者に当該画像に従って文字列等を記入させる。
【００４３】
一方、例えば記録装置２において、紙媒体Ｐの識別情報と、記入された文字列等の特徴量とを関連づけるテーブルを記憶させておき、制御部１１は、記入された文字列等の特徴量を抽出して、当該抽出した特徴量に関連づけられた識別情報を記録装置２から取得する。これにより、記入内容から最上の紙媒体Ｐの識別情報を取得することとしてもよい。この場合、媒体検知部１５は必ずしも必要ではない。
【００４４】
（３）無線タグを用いる例
さらに、無線タグを用いて最上の紙媒体Ｐの面Ｓに対する傾き及び位置（相対位置）を検出してもよい。この例では、紙媒体Ｐの複数の位置（例えば紙媒体の中央からやや右よりの上下）にそれぞれ無線タグＱ，Ｒを配する。
【００４５】
また、面Ｓの基準位置（予定されている位置）に紙媒体Ｐが配されたときに、無線タグＱ，Ｒがそれらの中心に位置することとなるよう、複数の無線タグリーダーをマトリクス状にして各位置に配する（図８（ａ）のＡ11，Ａ12，Ａ21，Ａ22（総称してＡとする）、及びＢ11，Ｂ12，Ｂ21，Ｂ22（総称してＢとする））。面Ｓの基準位置に紙媒体Ｐが置かれると、図８（ｂ）に示すように、無線タグＱは、無線タグリーダー群Ａにより形作られる２×２のマトリクス略中央に位置し、無線タグＲは、無線タグリーダー群Ｂにより形作られる２×２のマトリクス略中央に位置する。従って、無線タグリーダー群Ａは、無線タグＱからの情報を略同強度で受信することとなる（Ａ11＝Ａ12＝Ａ21＝Ａ22）。また無線タグリーダーＥからＨは、無線タグＲからの情報を略同強度で受信することとなる（Ｂ11＝Ｂ12＝Ｂ21＝Ｂ22）。
【００４６】
しかし、紙媒体Ｐが面Ｓに対して傾いて置かれると（図８（ｃ））、各無線タグリーダーが無線タグから受信する情報の強度が変化する。図８（ｃ）の例では、Ａ11＞Ａ12＞Ａ21＞Ａ22、Ｂ12＞Ｂ11＞Ｂ22＞Ｂ21の順にそれぞれ無線タグＱ，Ｒからの信号強度が弱くなる。
【００４７】
また紙媒体Ｐが面Ｓの基準位置に対して平行移動された位置に置かれた場合（図８（ｄ））も同様に、各無線タグリーダーが無線タグから受信する情報の強度が変化する。そこで制御部１１は、各無線タグリーダーが無線タグから受信する情報の強度と、無線タグリーダーの配置位置の情報とから、紙媒体Ｐの傾きと平行移動量とを推定する。
【００４８】
［ページ検知］
なお、複数の紙媒体Ｐが面Ｓ上に置かれる場合、最上の紙媒体Ｐの無線タグからの信号を識別するために、ここでの無線タグリーダー及び無線タグは、コリジョンフリー（衝突防止機能）対応のものとする。また紙媒体Ｐは、頁順が変更されないように、少なくとも一カ所で綴じられているものとする。そして無線タグは、要求に応じて、紙媒体Ｐの頁番号を表す情報を無線タグリーダーに送信する。
【００４９】
利用者は、綴じられた紙媒体Ｐをめくる場合、めくった頁の紙媒体Ｐを、本実施の形態の情報処理装置１の裏側へ巻き込む（図９（ａ））。これにより、めくった頁の紙媒体Ｐに付されている無線タグの情報が、無線タグリーダーに読み取られないようにする。ここでは図９（ｂ）に例示するように、左側を綴じ位置Ｘとし、この綴じ位置Ｘで綴じられている紙媒体Ｐの右側上部及び下部にそれぞれ無線タグＱ，Ｒを配することとする。この場合、めくられた頁の無線タグＴは、情報処理装置１の面Ｓの裏面側に回り込んでしまうので、面Ｓ上で、紙媒体Ｐの右下端側に配された無線タグリーダーによって読み取られることがない。
【００５０】
従って制御部１１は、面Ｓ上にある少なくとも一つの紙媒体Ｐの無線タグＱ，Ｒの情報をそれぞれ読み取ることになる。そして頁をめくったことによって面Ｓ上で最上にある頁は、最も頁番号の小さい頁となるので、制御部１１は、読み取った無線タグＱ，Ｒのうち、最小の頁番号を送信する無線タグＱ，Ｒが最上の紙媒体Ｐに付された無線タグＱ，Ｒであるとし、当該無線タグＱ，Ｒの位置を無線タグリーダー群Ａ，Ｂにより特定し、最上の紙媒体Ｐの面Ｓに対する傾きと平行移動量とを推定する。
【００５１】
この例では、制御部１１は、無線タグからの信号強度と無線タグリーダーからの距離との相関関係に基づいて、各無線タグリーダーでの受信信号強度に基づいて無線タグまでの距離を算出し、三角測量と同様の原理により面Ｓの座標系で表した、最上の紙媒体Ｐ上の無線タグの位置を取得し、これと最上の紙媒体Ｐの座標系で表した無線タグの位置（予め定められている）との比較によって上記第１、第２の変換式を得てもよい。
【００５２】
また、無線タグリーダー群Ａ，Ｂに属する無線タグリーダーの受信強度のうち、最大のものと最小のものとの差が予め定めたしきい値にない場合は、基準位置からのずれが大きいものと判定して、基準位置に最上の紙媒体Ｐを戻すよう警告する処理（音声を鳴動するなどの処理）を行ってもよい。後者の場合、利用者に対して最上の紙媒体Ｐを基準位置に配させることとなるので、変換式は不要となる。
【００５３】
さらに、本実施の形態のある例では、複数葉の紙媒体Ｐが冊子状に綴じられて用いられる。この場合、冊子状に綴じられた紙媒体Ｐを面Ｓに載せることになる。利用者は、面Ｓ上で、冊子状になった紙媒体Ｐをめくって、必要なページを開くことになる。この例では図１０に示すように、各頁の小口側（綴じられている辺と反対側の辺）上端部及び下端部に、頁を表す情報を送信する無線タグＱ，Ｒをそれぞれ付す。小口側に配すると、背側に配するよりも見開きの各頁に付された無線タグ間の距離が大きくなる。
【００５４】
本実施の形態の情報処理装置１の面Ｓの四隅には、図１１に示すように、２×２のマトリクス状に配列した無線タグリーダー群（ＡからＤ）をそれぞれ配しておく。冊子状に綴じられた媒体において小口側の上下端部にそれぞれ配した無線タグが送信する情報を受信する。
【００５５】
このように冊子状に綴じられた例では、紙媒体Ｐの両面に印刷が行われるため、各紙媒体Ｐに付された無線タグＱ，Ｒは、頁数の情報として表裏両側の頁の数値（連続した二数）を送信することになる。また、この場合は、表裏各頁に個別に媒体識別情報を設定しておき、各頁の値に関連づけておく。
【００５６】
情報処理装置１では、見開き左側の紙媒体Ｐの無線タグＱ，Ｒを読み取る無線タグリーダー群Ａ，Ｄ（以下、左側リーダー群と呼ぶ）と、見開き右側の紙媒体Ｐの無線タグＱ，Ｒを読み取る無線タグリーダー群Ｂ，Ｃ（以下、右側リーダー群と呼ぶ）とが無線タグから読み取った頁数の情報を参照して、次の処理を行う。
【００５７】
まず、情報処理装置１は、左側リーダー群で読み取った頁数の最大値ＰLmaxと、右側リーダー群で読み取った頁数の最大値ＰRmaxとを比較し、ＰLmax＜ＰRmaxであれば、当該冊子は左から右へ読み進める（左から右へノンブルが増えていく）、左開きの冊子であると判定する。またＰLmax＞ＰRmaxであれば、情報処理装置１は、右開きの冊子であると判定する。
【００５８】
情報処理装置１は、冊子が左開きであると判定すると、左側リーダー群で無線タグから読み取る頁数のうち最大のもの（ＰLmax）を、見開き左側で最上の紙媒体Ｐの頁であると判定し、当該ＰLmaxに関連づけられた媒体識別情報を、見開き左側で最上の紙媒体Ｐの媒体識別情報ＩＤLとして取得する。また、このように冊子が左開きであると判定した場合、右側リーダー群で無線タグから読み取る頁数のうち最小のもの（ＰRmin）を、見開き右側で最上の紙媒体Ｐの頁であると判定し、当該ＰRminに関連づけられた媒体識別情報を、見開き右側で最上の紙媒体Ｐの媒体識別情報ＩＤRとして取得する。
【００５９】
そして情報処理装置１は、無線タグリーダー群Ａ，Ｄに属する無線タグが、頁数ＰLmaxを送信する無線タグＱ，Ｒから受ける信号の強度に基づいて見開き左側の紙媒体Ｐの、面Ｓに対する傾きや平行移動量を推定する。また情報処理装置１は、無線タグリーダー群Ｂ，Ｃに属する無線タグが、頁数ＰRminを送信する無線タグＱ，Ｒから受ける信号の強度に基づいて見開き右側の紙媒体Ｐの、面Ｓに対する傾きや平行移動量を推定する。
【００６０】
さらに情報処理装置１は、冊子が右開きであると判定すると、左側リーダー群で無線タグから読み取る頁数のうち最小のもの（ＰLmin）を、見開き左側で最上の紙媒体Ｐの頁であると判定し、当該ＰLminに関連づけられた媒体識別情報を、見開き左側で最上の紙媒体Ｐの媒体識別情報ＩＤLとして取得する。また、このように冊子が右開きであると判定した場合、右側リーダー群で無線タグから読み取る頁数のうち最大のもの（ＰRmax）を、見開き右側で最上の紙媒体Ｐの頁であると判定し、当該ＰRmaxに関連づけられた媒体識別情報を、見開き右側で最上の紙媒体Ｐの媒体識別情報ＩＤRとして取得する。
【００６１】
このとき情報処理装置１は、無線タグリーダー群Ａ，Ｄに属する無線タグが、頁数ＰLminを送信する無線タグＱ，Ｒから受ける信号の強度に基づいて見開き左側の紙媒体Ｐの、面Ｓに対する傾きや平行移動量を推定する。また情報処理装置１は、無線タグリーダー群Ｂ，Ｃに属する無線タグが、頁数ＰRmaxを送信する無線タグＱ，Ｒから受ける信号の強度に基づいて見開き右側の紙媒体Ｐの、面Ｓに対する傾きや平行移動量を推定する。
【００６２】
このように、冊子状に綴じられている場合、見開き左側の最上の紙媒体Ｐに対応する第１、第２の変換式と、見開き右側の最上の紙媒体Ｐに対応する第１、第２の変換式とが規定される。
【００６３】
［紙媒体上での書き込み位置の検知］
次に、制御部１１による書き込み検知処理について説明する。制御部１１は、過去に押圧の検出が終了した時点から予め定めた時間ΔＴが経過した後、操作部１３において押圧が検出されると、その時点での時刻の情報Ｔｓを図示しない時計部から取得して記憶する。また制御部１１は、最後に押圧が検出された時点の時刻の情報Ｔｅも時計部から取得して記憶する。制御部１１は、押圧が検出されずに予め定めた時間ΔＴが経過すると（利用者が押圧操作を中断すると）、時刻ＴｓからＴｅまでの間に操作部１３にて検出した押圧位置（ξ，η）の最小値（ξmin，ηmin）、最大値（ξmax，ηmax）を演算する。
【００６４】
そして最小値（ξmin，ηmin）、最大値（ξmax，ηmax）を、事前に得た第２変換式を用いて最上の紙媒体Ｐの座標系（ｘ，ｙ）に変換し、対応する最小値（ｘmin，ｙmin）、最大値（ｘmax，ｙmax）を得る。制御部１１は、予め検知した最上の紙媒体Ｐの識別情報と、書き込みが開始された時刻の情報Ｔｓと、終了した時刻の情報Ｔｅと、ここで得られた座標の最小値（ｘmin，ｙmin）及び、最大値（ｘmax，ｙmax）（以下、対象領域情報と呼ぶ）とを関連づけて、記録装置２へ送信して蓄積させる（図１２）。
【００６５】
また、紙媒体Ｐが冊子状に綴じられている場合、制御部１１は、見開き左側と見開き右側のどちらの紙媒体Ｐへ書き込みが行われたかを押圧位置から判断する。例えば、押圧位置の検出可能範囲が（０，０）から（Ξ，Η）までであるとすると、（０，０）から（Ξ／２，Η）までを仮想見開き左側頁範囲、（Ξ／２，０）から（Ξ，Η）までを仮想見開き右側頁範囲として、仮想見開き左側頁範囲を、見開き左側の最上の紙媒体Ｐの傾き及び平行移動量に基づいてアフィン変換し、図１３に示すように、推定見開き左側頁範囲の左上端座標（ΞLTL，ΗLTL），右上端座標（ΞRTL，ΗRTL），左下端座標（ΞLBL，ΗLBL），右下端座標（ΞRBL，ΗRBL）を得る。同様に仮想見開き左側頁範囲を、見開き左側の最上の紙媒体Ｐの傾き及び平行移動量に基づいてアフィン変換し、推定見開き左側頁範囲の左上端座標（ΞLTR，ΗLTR），右上端座標（ΞRTR，ΗRTR），左下端座標（ΞLBR，ΗLBR），右下端座標（ΞRBR，ΗRBR）を得る。
【００６６】
なお、図１３では、左側見開き頁の右側辺上の頂点、右上端座標（ΞRTL，ΗRTL）及び右下端座標（ΞRBL，ΗRBL）と、右側見開き頁の左側辺上の頂点、左上端座標（ΞLTR，ΗLTR）及び左下端座標（ΞLBR，ΗLBR）とがそれぞれ一致していないが、これらは例えば、
（ΞLTR，ΗLTR）＝（ΞRTL，ΗRTL）
（ΞLBR，ΗLBR）＝（ΞRBL，ΗRBL）
と右側見開き頁の左側辺上の各頂点の座標を設定して一致させてもよい。なお、逆に、左側見開き頁の右側辺上の各頂点の座標を、推定右側見開き頁の左側辺上の対応する頂点の座標に設定しても構わない。
【００６７】
制御部１１は、書き込みのあった座標、すなわち押圧位置（ξ，η）の最小値（ξmin，ηmin）、最大値（ξmax，ηmax）が、上記推定見開き左側頁範囲と、推定見開き右側頁範囲とのそれぞれに重なり合う部分の面積（重なり合わない場合、「０」とする）を算出する。そして、推定見開き左側頁範囲に重なり合う部分の面積ＡLと、推定見開き右側頁範囲に重なり合う部分の面積ＡRとを比較し、
ＡL＞ＡR
であれば、見開き左側の頁に書き込みをしていると判断する。そして最小値（ξmin，ηmin）、最大値（ξmax，ηmax）を、事前に見開き左側頁の紙媒体Ｐについて得た第２変換式を用いて見開き左側の最上の紙媒体Ｐの座標系（ｘ，ｙ）に変換し、対応する最小値（ｘmin，ｙmin）、最大値（ｘmax，ｙmax）を得る。制御部１１は予め検知した見開き左側の最上の紙媒体Ｐの識別情報と、書き込みが開始された時刻の情報Ｔｓと、終了した時刻の情報Ｔｅと、ここで得られた座標の最小値（ｘmin，ｙmin）及び、最大値（ｘmax，ｙmax）（以下、対象領域情報と呼ぶ）とを関連づけて、記録装置２へ送信して蓄積させる（図１２）。
【００６８】
一方、
ＡL＜ＡR
であれば、見開き右側の頁に書き込みをしていると判断する。そして最小値（ξmin，ηmin）、最大値（ξmax，ηmax）を、事前に見開き右側頁の紙媒体Ｐについて得た第２変換式を用いて見開き右側の最上の紙媒体Ｐの座標系（ｘ，ｙ）に変換し、対応する最小値（ｘmin，ｙmin）、最大値（ｘmax，ｙmax）を得る。制御部１１は予め検知した見開き右側の最上の紙媒体Ｐの識別情報と、書き込みが開始された時刻の情報Ｔｓと、終了した時刻の情報Ｔｅと、ここで得られた座標の最小値（ｘmin，ｙmin）及び、最大値（ｘmax，ｙmax）（以下、対象領域情報と呼ぶ）とを関連づけて、記録装置２へ送信して蓄積させる（図１２）。
【００６９】
なお、
ＡL＝ＡR
である場合は、予め定めた左または右側のどちらかの頁に書き込みをしていると判断を行ってもよいし、エラーとして処理を中断してもよい。
【００７０】
［照明処理］
次に、制御部１１による照明処理について説明する。制御部１１は、紙媒体Ｐが面Ｓに置かれ、その識別情報が得られると、記録装置２に対して、当該得られた識別情報に関連づけられている対象領域情報を要求する。
【００７１】
制御部１１は、また、紙媒体Ｐの面Ｓに対する相対位置を検知し、第１変換式を得ておく。制御部１１は、記録装置２から得た対象領域情報に含まれる座標の最小値（ｘmin，ｙmin）及び、最大値（ｘmax，ｙmax）を第１変換式によって変換し、面Ｓでの座標で表した最小値（ξmin，ηmin）、最大値（ξmax，ηmax）を得る。
【００７２】
そして、制御部１１は、これら面Ｓでの座標で表した最小値（ξmin，ηmin）、最大値（ξmax，ηmax）で表される矩形に含まれる表示部１４の照明領域に対応するＬＥＤを点灯させる。これにより利用者の過去の書き込みに対応する一部の照明領域が紙媒体の下部から選択的に照明される。
【００７３】
紙媒体Ｐが冊子状に綴じられているときには、制御部１１は、面Ｓに置かれた冊子において、見開き両側の紙媒体Ｐの識別情報がそれぞれ得られると、制御部１１は、記録装置２に対して、当該得られた各識別情報に関連づけられている対象領域情報を要求する。
【００７４】
制御部１１は、また、見開き両側の各紙媒体Ｐの面Ｓに対する相対位置をそれぞれ検知し、それぞれの第１変換式を得ておく。
【００７５】
制御部１１は、記録装置２から得た対象領域情報のうち、見開き左側の紙媒体Ｐの識別情報に関連づけられているものについては、当該対象領域情報に含まれる座標の最小値（ｘmin，ｙmin）及び、最大値（ｘmax，ｙmax）を、見開き左側の紙媒体Ｐに係る第１変換式によって変換し、面Ｓでの座標で表した最小値（ξmin，ηmin）、最大値（ξmax，ηmax）を得る。
【００７６】
そして、制御部１１は、これら面Ｓでの座標で表した最小値（ξmin，ηmin）、最大値（ξmax，ηmax）で表される矩形に含まれる表示部１４の照明領域に対応するＬＥＤを点灯させる。
【００７７】
同様に制御部１１は、記録装置２から得た対象領域情報のうち、見開き右側の紙媒体Ｐの識別情報に関連づけられているものについては、当該対象領域情報に含まれる座標の最小値（ｘmin，ｙmin）及び、最大値（ｘmax，ｙmax）を、見開き右側の紙媒体Ｐに係る第１変換式によって変換し、面Ｓでの座標で表した最小値（ξmin，ηmin）、最大値（ξmax，ηmax）を得て、これら面Ｓでの座標で表した最小値（ξmin，ηmin）、最大値（ξmax，ηmax）で表される矩形に含まれる表示部１４の照明領域に対応するＬＥＤを点灯させる。
【００７８】
これにより利用者の過去の書き込みに対応する一部の照明領域が紙媒体の下部から選択的に照明される。
【００７９】
また紙媒体Ｐが単体である場合や、面Ｓが書き込みの対象となる一頁分の面積である場合、面Ｓが、冊子状に綴じられた紙媒体Ｐを見開きの状態で載せるだけの面積を有している場合のいずれの場合においても、図１２に示したように、書き込みが開始、または終了した時刻の情報Ｔｓ，Ｔｅが記録されているときには、例えば書き込みの開始時刻Ｔｓをキーとして、記録装置２から得た対象領域情報を並べ替え、並べ替え後のｉ番目（例えば当初は「ｉ＝１」などとしておく）の対象領域情報に対応する照明領域（第１変換式を適用して面Ｓでの座標に変換した後の領域）を点灯させてもよい。このときには、操作部１３が利用者からｉをデクリメント、またはインクリメントさせる指示を受け入れ、制御部１１がデクリメントまたはインクリメント後のｉ番目の対象領域情報に対応する照明領域（第１変換式を適用して面Ｓでの座標に変換した後の領域）を点灯させてもよい。
【００８０】
また利用者が時刻の情報を操作部１３を介して入力し、制御部１１が、入力された時刻Ｔが、Ｔｓ≦Ｔ≦Ｔｅであるような時刻情報に関連づけられた対象領域情報に対応する照明領域（第１変換式を適用して面Ｓでの座標に変換した後の領域）を点灯させてもよい。
【００８１】
［表示部の別の例］
さらに本実施の形態において、冊子状に綴じられた紙媒体Ｐなど、複数の紙媒体Ｐを重ねて面Ｓ上に配する場合、複数の紙媒体Ｐを透かして下面側から一部を照射することが困難な場合もある。そこで表示部１４は、例えば図１４に例示するように、点光源２１と、レンズ系２２と、液晶シャッター２３と、投影レンズ２４とを含んで構成されてもよい。この表示部１４は、紙媒体Ｐを上側から照射する。すなわちこの表示部１４を用いる場合、制御部１１は、液晶シャッター２３上で、照射したい照明領域に対応する画素を暗転（光を透過させない状態）にしておく。点光源２１が放射した光は、レンズ系２２によって平行光とされ、液晶シャッター２３に照射される。液晶シャッター２３では、暗転されていない画素以外の部分で光が透過される。液晶シャッター２３にて、少なくとも一部を透過された光は、投影レンズ２４を介して、紙媒体Ｐ上に照射される。
【００８２】
［動作］
以上のように構成された本実施の形態の情報処理装置１は、次のように動作する。利用者が例えば冊子状に綴じられた紙媒体Ｐを、見開きにして本実施の形態の情報処理装置１の面Ｓに重ね合わせて置くと、情報処理装置１は、これを（例えば光センサなどによって）検知して、または利用者の操作によって、次の図１５に示す処理を開始する。
【００８３】
情報処理装置１は、見開き左側及び見開き右側の双方の最上の紙媒体Ｐの識別情報を取得する（Ｓ１）。これらの識別情報は、既に述べたように例えば各紙媒体ＰにＲＦＩＤタグやＱＲコードが付されていれば、それを読み取ることによって得ればよい。また、利用者に最上の各紙媒体Ｐ上で記号などを記入させ、当該記入された記号の内容に基づいて識別情報を得てもよい。
【００８４】
また情報処理装置１は、見開き両側の各紙媒体Ｐと面Ｓとの相対位置（各紙媒体Ｐ上の仮想的な座標系と面Ｓ上の座標系との相対的な傾き及び平行移動量）をそれぞれ検知する（Ｓ２）。この相対位置の検知は、見開き両側の各紙媒体Ｐ上で利用者が記入した記入の内容に基づいて行ってもよい。また、各紙媒体Ｐに付されたＱＲコードの位置が検出できる場合は、当該ＱＲコードの位置の検出結果に基づいて検知してもよい。
【００８５】
情報処理装置１は、見開き両側の各紙媒体Ｐと面Ｓとの相対位置に基づいて、見開き両側の各紙媒体Ｐ上の座標系と、面Ｓの座標系とを相互に変換する変換式ペアをそれぞれ得る。
【００８６】
情報処理装置１は、利用者が見開き左右側いずれかの最上の紙媒体Ｐ上で書き込みの操作を行うまで待機し（Ｓ３）、利用者がいずれかの紙媒体Ｐ上で書き込みの操作を行うと、その書き込みが行われた範囲を面Ｓの座標系で検出する（Ｓ４）。この処理Ｓ４では、書き込みが行われた紙媒体Ｐが、見開き左右のどちらの紙媒体Ｐであるかを併せて検出する。そして当該検出の結果、見開き左側の最上の紙媒体Ｐにおいて書き込みが行われたと検出すると、処理Ｓ４で検出した範囲を表す座標の値を、見開き左側の紙媒体Ｐについて先に得ておいた変換式ペアの一方の変換式を用いて対応する紙媒体Ｐ上の座標系に変換する（Ｓ５）。同様に、上記検出の結果、見開き右側の最上の紙媒体Ｐにおいて書き込みが行われたと検出した場合この処理Ｓ５では、処理Ｓ４で検出した範囲を表す座標の値を、見開き右側の紙媒体Ｐについて先に得ておいた変換式ペアの一方の変換式を用いて対応する紙媒体Ｐ上の座標系に変換する。
【００８７】
そして当該変換した座標系で表した書き込みの範囲を表す領域情報を対象領域情報として、処理Ｓ１で取得した識別情報のうち、処理Ｓ４で検出した、見開き左右のいずれかの紙媒体Ｐに対応する識別情報とともに記録装置２に送信し、記録装置２において当該識別情報と当該対象領域情報とを関連づけて蓄積させる（Ｓ６）。以上の処理を、紙媒体Ｐが面Ｓから取り去られるか、利用者の終了指示があるまで処理Ｓ３から（または指示等により処理Ｓ２から）繰り返す。
【００８８】
また情報処理装置１は、利用者が本実施の形態の情報処理装置１の面Ｓに、冊子上に綴じられた紙媒体Ｐを重ね合わせて置いたときに、利用者の指示等によって図１６に示す処理を開始する。情報処理装置１は、見開き左右の最上の紙媒体Ｐの各識別情報を取得する（Ｓ１１）。ここでも例えば紙媒体ＰにＲＦＩＤタグが付されていれば、それを読み取ることによって識別情報を得てもよいし、利用者に各紙媒体Ｐ上で記号などを記入させ、当該記入された記号の内容に基づいて識別情報を得てもよい。
【００８９】
また情報処理装置１は、見開き両側の紙媒体Ｐと面Ｓとの相対位置（各紙媒体Ｐ上の仮想的な座標系と面Ｓ上の座標系との相対的な傾き及び平行移動量）を検知する（Ｓ１２）。ここでも、相対位置の検知は、ＲＦＩＤタグの位置検出や各紙媒体Ｐ上で利用者が記入した記入の内容に基づいて行ってもよい。そして情報処理装置１は、見開き両側の各紙媒体Ｐと面Ｓとの相対位置に基づいて、各紙媒体Ｐ上の座標系と、面Ｓの座標系とを相互に変換する、見開き両側の各紙媒体Ｐに対応する、それぞれの変換式ペアを得る。
【００９０】
情報処理装置１は、記録装置２に対して処理Ｓ１１で取得した各識別情報と、当該各識別情報に関連づけられた対象領域情報を要求する（Ｓ１３）。そして記録装置２から当該要求に応じて送信される、各識別情報に対応する対象領域情報を受信する（Ｓ１４）。情報処理装置１は、受信した対象領域情報（紙媒体Ｐの座標系で表されている）を、対応する紙媒体Ｐについての変換式ペアの一方によって面Ｓの座標系に変換する（Ｓ１５）。
【００９１】
そして、表示部１４を制御して当該変換した座標系で表される面Ｓの範囲に対応する部分を照明させる（Ｓ１６）。これにより、過去に当該紙媒体Ｐにおいて行われた書き込みの範囲が照明される。
【００９２】
ここで表示部１４における照明範囲は、必ずしも対象領域情報に表された座標情報に従って正確に為されている必要はない。既に説明したように、紙媒体Ｐを３×１０程度の領域（照明領域）に分割し、各照明領域を単位として点灯・消灯を制御して照明することとしてもよい。
【００９３】
これらの処理によると、情報処理装置１の面Ｓに重ね合わせた状態で、紙媒体Ｐに対して書き込みをすると、この書き込みを行った領域を表す対象領域情報が記録装置２に記録される。そして後に、指示により、この記録装置２に格納された対象領域情報を取得し、当該対象領域情報に含まれる照明領域を照明する。これによって過去に書き込みを行った領域が照明される。
【００９４】
［領域情報記録の別例］
ここまでの説明では、紙媒体Ｐに対して書き込みが行われた領域を表す対象領域情報を記録して、書き込みが行われた領域を照明する処理を行う例について述べたが、照明を行う領域の例は、これに限られるものではない。
【００９５】
例えば、紙媒体に対して資料の文字列等を印刷し、紙媒体とするときに、当該紙媒体の識別情報を検出しておく。また、印刷する文字列等から予め定めた条件に合致する部分（例えばハイパーリンクを表すＵＲＬ（Uniform Resource Locators）の文字列など）が印刷される領域を検出し、当該検出した領域を表す対象領域情報を生成して、識別情報に関連づけて記録装置２に蓄積しておいてもよい。
【００９６】
この例によると、情報処理装置１が記録装置２に対して識別情報に関連づけられた対象領域情報を要求したときに、記録装置２が印刷された文字列等の部分に対応する識別情報を送信する。
【００９７】
そして記録装置２から当該要求に応じて送信される対象領域情報を受信した情報処理装置１が、受信した対象領域情報（紙媒体Ｐの座標系で表されている）を、変換式ペアの一方によって面Ｓの座標系に変換する。そして当該変換した座標系で表される面Ｓの範囲に対応する部分を表示部１４を制御して照明させる。これにより紙媒体Ｐに記録されている情報の生成者が希望する部分を照明させることができる。
【００９８】
［照明の他の例］
なお、表示部１４による照明方法は、単に点灯・消灯するだけに留まらず、一例として表示部１４が多色ＬＥＤを備えている場合や、カラー液晶表示デバイスである場合であって、紙媒体Ｐの識別情報に関連づけられた対象領域情報が複数ある場合には、各対象領域情報に対応する照明領域を互いに異なる色で点灯するようにしてもよい。ここでさらに対象領域情報について時刻の情報が関連づけられているときには、時刻の情報に応じて（例えばより早い時刻ほど明るい色とするなど）点灯色を制御してもよい。また、点灯態様を点滅パターンで異ならせてもよい。
【００９９】
［紙媒体を固定する例］
さらに本実施の形態において、情報処理装置１は、図１７（ａ）に概要を示すように、面Ｓ上での紙媒体Ｐの位置を固定するために、紙媒体Ｐを面Ｓとの間で挟み込み、紙媒体Ｐの移動を規制するクリップ３１を備えてもよい。このようにしておくと、一度、紙媒体Ｐと面Ｓとの各座標系を変換する変換式ペアができあがった後は、このクリップ３１が開かれるまで、変換式ペアを再演算する必要がない。なお、この場合も利用者の明示的な指示により、クリップ３１が開かれなくても変換式ペアを再演算するようにしても構わない。
【０１００】
すなわちこの場合、制御部１１は、クリップ３１が開かれて閉じられると、面Ｓに対する最上の紙媒体Ｐの傾き及び平行移動量を推定し、変換式ペアを演算する処理を行う。
【０１０１】
また、図１７（ｂ）に示すように、一部を開閉可能なリング３２（図１７（ｃ）に例示するように、略半円状の一対のリング部材を向き合わせ、一端側を軸を介して回動可能に固定し、他端側を閉じたり開いたりできるようにしたもの）を設け、紙媒体Ｐに開けた穴を通して紙媒体Ｐの面Ｓ上での移動範囲を規制するようにしてもよい。
【０１０２】
これらのように紙媒体Ｐが面Ｓ上で移動可能な範囲を規制する手段を備えている場合、書き込みの際、及び照明の際にその傾きや平行移動量を推定する処理や、推定された傾きや平行移動量に基づいて変換式を生成する処理は必ずしも必要でない。
【図面の簡単な説明】
【０１０３】
【図１】本発明の実施の形態に係る情報処理装置の構成例ならびに接続例を表すブロック図である。
【図２】本発明の実施の形態に係る情報処理装置の外観例を表す説明図である。
【図３】本発明の実施の形態に係る情報処理装置によって照明される照明領域の設定例を表す説明図である。
【図４】本発明の実施の形態に係る情報処理装置において利用者に行わせる記入操作、記入内容の例を表す説明図である。
【図５】本発明の実施の形態に係る情報処理装置における照明領域の座標設定の例を表す説明図である。
【図６】本発明の実施の形態に係る情報処理装置において利用者に行わせる記入操作の対象となる領域を表す説明図である。
【図７】本発明の実施の形態に係る情報処理装置が記入操作の内容に基づいて相対位置を検知する処理の例を表す説明図である。
【図８】本発明の実施の形態に係る情報処理装置が無線タグを用いて相対位置を検知する例を表す説明図である。
【図９】本発明の実施の形態に係る情報処理装置の使用態様を表す説明図である。
【図１０】本発明の実施の形態に係る情報処理装置において利用される紙媒体の例を表す説明図である。
【図１１】本発明の実施の形態に係る情報処理装置が冊子状に綴じられた紙媒体の相対位置を検知する例を表す説明図である。
【図１２】本発明の実施の形態に係る情報処理装置により、記録装置において記録される情報の例を表す説明図である。
【図１３】本発明の実施の形態に係る情報処理装置における冊子状に綴じられた紙媒体の相対位置を検出する処理の例を表す説明図である。
【図１４】本発明の実施の形態に係る情報処理装置の表示部の別例を表す説明図である。
【図１５】本発明の実施の形態に係る情報処理装置による記録処理の例を表すフローチャート図である。
【図１６】本発明の実施の形態に係る情報処理装置による照明処理の例を表すフローチャート図である。
【図１７】本発明の実施の形態に係る情報処理装置の別例を表す説明図である。
【符号の説明】
【０１０４】
１  情報処理装置、２  記録装置、１１  制御部、１２  記憶部、１３  操作部、１４  表示部、１５  媒体検知部、１６  通信部、２１  点光源、２２  レンズ系、２３  液晶シャッター、２４  投影レンズ、３１  クリップ、３２  リング。
【図１】
2009258964.tif 000005
【図２】
2009258964.tif 000006
【図３】
2009258964.tif 000007
【図４】
2009258964.tif 000008
【図５】
2009258964.tif 000009
【図６】
2009258964.tif 000010
【図７】
2009258964.tif 000011
【図８】
2009258964.tif 000012
【図９】
2009258964.tif 000013
【図１０】
2009258964.tif 000014
【図１１】
2009258964.tif 000015
【図１２】
2009258964.tif 000016
【図１３】
2009258964.tif 000017
【図１４】
2009258964.tif 000018
【図１５】
2009258964.tif 000019
【図１６】
2009258964.tif 000020
【図１７】
2009258964.tif 000021